【手続補正書】
【提出日】令和3年4月28日(2021.4.28)
【手続補正１】
【補正対象書類名】特許請求の範囲
【補正対象項目名】全文
【補正方法】変更
【補正の内容】
【特許請求の範囲】
【請求項１】
被検者の胸部に対して放射線を照射する動態撮影を行うことにより得られた動態画像から肺野の面積を算出する肺野面積算出手段と、
前記肺野面積算出手段により算出された前記肺野の面積に基づいて、前記肺野の残気量、機能的残気量、全肺気量及び残気率の少なくとも１つを推定する推定手段と、
を備える動態画像解析装置。
【請求項２】
前記推定手段は、前記被検者以外の多数の被検者から得られた統計データに基づいて決定した算出式又はテーブルと、前記被検者の前記肺野の面積とに基づいて、前記肺野の残気量、機能的残気量、全肺気量及び残気率の少なくとも１つを推定する請求項１に記載の動態画像解析装置。
【請求項３】
前記統計データは、前記被検者以外の多数の被検者から得られたデータであって、前記動態撮影により得られた肺野の面積と、前記動態撮影とは異なる方法により得られた残気量、機能的残気量及び全肺気量の少なくとも１つとの関係とを示すデータを含む請求項２に記載の動態画像解析装置。
【請求項４】
前記統計データは、前記被検者以外の多数の被検者から得られたデータであって、前記動態撮影により得られた肺野の面積の変化率と、前記動態撮影とは異なる方法により得られた残気量との関係とを示すデータを含む請求項２又は３に記載の動態画像解析装置。
【請求項５】
前記動態撮影とは異なる方法は、ヘリウム閉鎖回路法、窒素洗い出し解放回路法、又は体プレスチモグラフ法である請求項３又は４に記載の動態画像解析装置。
【請求項６】
前記肺野面積算出手段は、前記動態画像を構成する複数のフレーム画像のうちの深吸気位に対応するフレーム画像又は深呼気位に対応するフレーム画像に基づいて、前記肺野の面積を算出する請求項１〜５のいずれか一項に記載の動態画像解析装置。
【請求項７】
前記肺野面積算出手段により算出された前記肺野の面積は、胸郭側の一部の面積である請求項１〜６のいずれか一項に記載の動態画像解析装置。
【請求項８】
前記肺野面積算出手段により算出された前記肺野の面積は、前記動態画像から前記肺野の背側肺底端を推定し、前記背側肺底端を前記肺野の下端とした肺野面積である請求項１〜６のいずれか一項に記載の動態画像解析装置。
【請求項９】
前記肺野面積算出手段により算出された前記肺野の面積は、前記肺野の片肺の面積である請求項１〜６のいずれか一項に記載の動態画像解析装置。
【請求項１０】
前記動態画像は、頻呼吸時又は運動負荷時に撮影された動態画像であり、
前記推定手段は、前記肺野面積算出手段により前記頻呼吸時又は運動負荷時に撮影された動態画像から算出された前記肺野の面積に基づいて推定した前記肺野の残気量又は機能的残気量を動的肺過膨張の指標として推定する請求項１〜９のいずれか一項に記載の動態画像解析装置。
【請求項１１】
前記動態画像は、運動負荷前後又は頻呼吸過程において撮影された動態画像であり、
前記推定手段は、運動負荷前後又は頻呼吸過程において撮影された動態画像から算出された肺野の面積に基づいて、運動負荷前後又は頻呼吸過程における残気量又は機能的残気量を推定し、推定した運動負荷前後又は頻呼吸過程における残気量又は機能的残気量の変化を動的肺過膨張の指標として推定する請求項１〜９のいずれか一項に記載の動態画像解析装置。
【請求項１２】
被検者の胸部に対して放射線を照射する動態撮影を行うことにより動態画像を取得する放射線撮影装置と、
請求項１〜１１のいずれか一項に記載の動態画像解析装置と、
を備える動態画像解析システム。
【請求項１３】
被検者の胸部に対して放射線を照射する動態撮影を行うことにより得られた動態画像に関する解析を行う動態画像解析プログラムであって、
コンピュータに、
被検者の胸部に対して放射線を照射する動態撮影を行うことにより得られた動態画像から肺野の面積を算出する第１の処理と、
前記第１の処理により算出された前記肺野の面積に基づいて、前記肺野の残気量、機能的残気量、全肺気量及び残気率の少なくとも１つを推定する第２の処理と、
を実行させる動態画像解析プログラム。
【請求項１４】
前記第２の処理は、前記被検者以外の多数の被検者から得られた統計データに基づいて決定した算出式又はテーブルと、前記被検者の前記肺野の面積とに基づいて、前記肺野の残気量、機能的残気量、全肺気量及び残気率の少なくとも１つを推定する請求項１３に記載の動態画像解析プログラム。
【請求項１５】
前記統計データは、前記被検者以外の多数の被検者から得られたデータであって、前記動態撮影により得られた肺野の面積と、前記動態撮影とは異なる方法により得られた残気量、機能的残気量及び全肺気量の少なくとも１つとの関係とを示すデータを含む請求項１４に記載の動態画像解析プログラム。
【請求項１６】
前記統計データは、前記被検者以外の多数の被検者から得られたデータであって、前記動態撮影により得られた肺野の面積の変化率と、前記動態撮影とは異なる方法により得られた残気量との関係とを示すデータを含むである請求項１４又は１５に記載の動態画像解析プログラム。
【請求項１７】
前記動態撮影とは異なる方法は、ヘリウム閉鎖回路法、窒素洗い出し解放回路法、又は
体プレスチモグラフ法である請求項１５又は１６に記載の動態画像解析プログラム。
【請求項１８】
前記第１の処理は、前記動態画像を構成する複数のフレーム画像のうちの深吸気位に対応するフレーム画像又は深呼気位に対応するフレーム画像に基づいて、前記肺野の面積を算出する請求項１３〜１７のいずれか一項に記載の動態画像解析プログラム。
【請求項１９】
前記動態画像は、頻呼吸時又は運動負荷時に撮影された動態画像であり、
前記第２の処理は、前記第１の処理により前記頻呼吸時又は運動負荷時に撮影された動態画像から算出された前記肺野の面積に基づいて推定した前記肺野の残気量又は機能的残気量を動的肺過膨張の指標として推定する請求項１３〜１８のいずれか一項に記載の動態画像解析プログラム。
【請求項２０】
前記動態画像は、運動負荷前後又は頻呼吸過程において撮影された動態画像であり、
前記第２の処理は、運動負荷前後又は頻呼吸過程において撮影された動態画像から算出された肺野の面積に基づいて、運動負荷前後又は頻呼吸過程における残気量又は機能的残気量を推定し、推定した運動負荷前後又は頻呼吸過程における残気量又は機能的残気量の変化を動的肺過膨張の指標として推定する請求項１３〜１８のいずれか一項に記載の動態画像解析プログラム。
【請求項２１】
被検者の胸部に対して放射線を照射する動態撮影を行うことにより得られた動態画像に関する解析を行う動態画像解析方法であって、
被検者の胸部に対して放射線を照射する動態撮影を行うことにより得られた動態画像から肺野の面積を算出する第１の工程と、
前記第１の工程において算出された前記肺野の面積に基づいて、前記肺野の残気量、機能的残気量、全肺気量及び残気率の少なくとも１つを推定する第２の工程と、
を備える動態画像解析方法。
【手続補正２】
【補正対象書類名】明細書
【補正対象項目名】発明の名称
【補正方法】変更
【補正の内容】
【発明の名称】動態画像解析装置、動態画像解析システム、動態画像解析プログラム及び動態画像解析方法
【手続補正３】
【補正対象書類名】明細書
【補正対象項目名】０００１
【補正方法】変更
【補正の内容】
【０００１】
本発明は、動態画像解析装置、動態画像解析システム、動態画像解析プログラム及び動態画像解析方法に関する。
【手続補正４】
【補正対象書類名】明細書
【補正対象項目名】０００８
【補正方法】変更
【補正の内容】
【０００８】
上記課題を解決するため、本発明の動態画像解析装置は、
被検者の胸部に対して放射線を照射する動態撮影を行うことにより得られた動態画像から肺野の面積を算出する肺野面積算出手段と、
前記肺野面積算出手段により算出された前記肺野の面積に基づいて、前記肺野の残気量、機能的残気量、全肺気量及び残気率の少なくとも１つを推定する推定手段と、
を備える。
【手続補正５】
【補正対象書類名】明細書
【補正対象項目名】０００９
【補正方法】変更
【補正の内容】
【０００９】
また、本発明の動態画像解析システムは、
被検者の胸部に対して放射線を照射する動態撮影を行うことにより動態画像を取得する放射線撮影装置と、
請求項１〜１１のいずれか一項に記載の動態画像解析装置と、
を備える。
【手続補正６】
【補正対象書類名】明細書
【補正対象項目名】００１０
【補正方法】変更
【補正の内容】
【００１０】
また、本発明の動態画像解析プログラムは、
被検者の胸部に対して放射線を照射する動態撮影を行うことにより得られた動態画像に関する解析を行う動態画像解析プログラムであって、
コンピュータに、
被検者の胸部に対して放射線を照射する動態撮影を行うことにより得られた動態画像から肺野の面積を算出する第１の処理と、
前記第１の処理により算出された前記肺野の面積に基づいて、前記肺野の残気量、機能的残気量、全肺気量及び残気率の少なくとも１つを推定する第２の処理と、
を実行させる。
【手続補正７】
【補正対象書類名】明細書
【補正対象項目名】００１１
【補正方法】変更
【補正の内容】
【００１１】
また、本発明の動態画像解析方法は、
被検者の胸部に対して放射線を照射する動態撮影を行うことにより得られた動態画像に関する解析を行う動態画像解析方法であって、
被検者の胸部に対して放射線を照射する動態撮影を行うことにより得られた動態画像から肺野の面積を算出する第１の工程と、
前記第１の工程において算出された前記肺野の面積に基づいて、前記肺野の残気量、機能的残気量、全肺気量及び残気率の少なくとも１つを推定する第２の工程と、
を備える。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】